(57)【要約】【目的】  或る受信装置で蓄積した視聴履歴情報を他の受信装置で利用することができるようにする。【構成】  携帯放送受信装置３０のメモリには、番組の視聴履歴情報が格納される。また、携帯放送受信装置３０は赤外線通信部を備え、所定キーが操作されたときに、前記メモリから視聴履歴情報を読み出して赤外線送信する。固定型の放送受信装置５０には、リモコン送信機のための赤外線受信部が設けられている。固定放送受信装置５０は、常時、赤外線信号を受信できる状態になっており、携帯放送受信装置３０から送信されてくる視聴履歴情報を受信すると、メモリに視聴履歴情報を保存（蓄積）する。【選択図】        図４
2005295357.tif 000002
【特許請求の範囲】
【請求項１】
放送を受信する放送受信装置において、番組の視聴履歴情報を蓄積する手段と、前記視聴履歴情報を別の受信装置に転送するための通信手段と、を備えたことを特徴とする放送受信装置。
【請求項２】
請求項１に記載の放送受信装置において、所定キーを備え、前記所定キーが操作されたときに、前記視聴履歴情報を別の受信装置に転送する処理を行うように構成されたことを特徴とする放送受信装置。
【請求項３】
放送を受信する放送受信装置において、別の受信装置から転送されてくる視聴履歴情報を受信するための通信手段と、受信した視聴履歴情報を蓄積する手段と、前記蓄積した視聴履歴情報に基づいて所定の処理を実行する処理手段と、を備えたことを特徴とする放送受信装置。
【請求項４】
請求項３に記載の放送受信装置において、自装置で受信した番組の視聴履歴情報を蓄積する手段を備え、前記視聴履歴情報と、前記別の受信装置から転送されて蓄積された視聴履歴情報とに基づいて新たな視聴履歴情報を作成するように構成されたことを特徴とする放送受信装置。
【請求項５】
放送を受信する放送受信装置において、別の受信装置から転送されてくる視聴履歴情報を受信するための通信手段と、受信した視聴履歴情報を画面表示する手段と、前記画面表示された視聴履歴情報に対するユーザ操作が行われときに、当該視聴履歴情報に基づいて所定の処理を実行する制御手段と、を備えたことを特徴とする放送受信装置。
【発明の詳細な説明】
【技術分野】
【０００１】
この発明は、放送を受信する放送受信装置に関する。
【背景技術】
【０００２】
従来より、ユーザが視聴した番組の履歴情報を蓄積することができる放送受信装置が提案されている。また、番組受信機器によって何が視聴されたかをその番組受信機器の外部において取得することが提案されている（特許文献１参照）。
【特許文献１】特開２００１−２７５０５７号公報
【発明の開示】
【発明が解決しようとする課題】
【０００３】
ところで、地上ディジタル放送においては、屋外での番組視聴に利用される車載型あるいは携帯型の放送受信装置に向けた放送が予定されている。従って、このような放送受信装置においても、番組の視聴履歴を蓄積していくことが考えられる。一方、自宅等に固定的に設置された放送受信装置においても、別個に視聴履歴が蓄積されることになる。また、放送受信装置の買い換えが行われた場合、新しい放送受信装置においては、一から視聴履歴の蓄積が開始されることになり、旧放送受信装置で蓄積した視聴履歴は無駄にされる。
【０００４】
この発明は、上記の事情に鑑み、或る受信装置で蓄積した視聴履歴情報を他の受信装置で利用できるようにすることを目的とする。
【課題を解決するための手段】
【０００５】
この発明の放送受信装置は、上記課題を解決するために、放送を受信する放送受信装置において、番組の視聴履歴情報を蓄積する手段と、前記視聴履歴情報を別の受信装置に転送するための通信手段と、を備えたことを特徴とする（以下、この項において第１構成という）。
【０００６】
上記の構成であれば、自装置で蓄積した視聴履歴を別の受信装置において利用することが可能になる。
【０００７】
第１構成において、所定キーを備え、前記所定キーが操作されたときに、前記視聴履歴情報を別の受信装置に転送する処理を行うように構成されているのがよい。
【０００８】
また、この発明の放送受信装置は、放送を受信する放送受信装置において、別の受信装置から転送されてくる視聴履歴情報を受信するための通信手段と、受信した視聴履歴情報を蓄積する手段と、前記蓄積した視聴履歴情報に基づいて所定の処理を実行する処理手段と、を備えたことを特徴とする（以下、この項において第２構成という）。
【０００９】
上記の構成であれば、別の受信装置で蓄積した視聴履歴を自装置において利用することが可能になる。
【００１０】
第２構成において、自装置で受信した番組の視聴履歴情報を蓄積する手段を備え、前記視聴履歴情報と、前記別の受信装置から転送されて蓄積された視聴履歴情報とに基づいて新たな視聴履歴情報を作成するように構成されているのがよい。
【００１１】
また、この発明の放送受信装置は、放送を受信する放送受信装置において、別の受信装置から転送されてくる視聴履歴情報を受信するための通信手段と、受信した視聴履歴情報を画面表示する手段と、前記画面表示された視聴履歴情報に対するユーザ操作が行われときに、当該視聴履歴情報に基づいて所定の処理を実行する制御手段と、を備えたことを特徴とする。
【００１２】
上記の構成であれば、別の放送受信装置において保存されている視聴履歴を、そのコピー処理（保存）を行わずに、必要に応じて利用することができる。
【発明の効果】
【００１３】
この発明によれば、或る受信装置で蓄積した視聴履歴情報を他の受信装置で利用することができるという効果を奏する。
【発明を実施するための最良の形態】
【００１４】
以下、この発明の実施形態を図１乃至図８に基づいて説明するが、ここでは地上ディジタル放送を受信する場合を例示している。また、図１には携帯型の放送受信装置３０を示すが、固定型或いは車載型の放送受信装置においても同様の構成を有するものである。なお、地上ディジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる伝送方式が用いられ、携帯型或いは車載型の放送受信装置の利用を想定している。このため、単一の伝送路符号化での放送だけでなく、複数の異なる伝送路符号化を用いる階層伝送を行うことが考えられている。この階層伝送においては例えば最大３つの階層が用いられ、所要Ｃ／Ｎ比が低い順に、強階層、中階層、弱階層が存在する。そして、携帯型や車載型の放送受信装置向けには強階層放送や中階層放送が行われる。
【００１５】
図１において、アンテナ１は地上放送局から送られてくるディジタル放送信号を受信する。
【００１６】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、前記トランスポート・ストリームを、例えば、ＭＰＥＧ（Ｍｏｖｉｎｇ  Ｐｉｃｔｕｒｅ  Ｅｘｐｅｒｔｓ  Ｇｒｏｕｐ）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組表データ（番組名、番組開始時刻、番組内容情報、番組ジャンル情報等）等をＣＰＵ１３に供給し、データ放送データをＢＭＬブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１８】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００１９】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００２０】
映像出力回路７によって液晶表示パネル１７が駆動され、音声出力回路によってスピーカ１６が駆動される。
【００２１】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示、視聴履歴表示などが行えることになる。
【００２２】
操作パッド１０は、当該放送受信装置３０に指令を送出するための操作部であり、例えば、図２に示すごとく各キーが配置される。この操作パッド１０に設けられたキーを操作すると、そのキーに対応した指令を意味する信号がＣＰＵ１３に与えられる。
【００２３】
赤外線通信部２１は、所定の赤外線通信規格に従って通信を行い、インターフェイス２２を介してＣＰＵ１３から受け取った視聴履歴情報を別の放送受信装置に送信したり、或いは、別の放送受信装置から送信されてくる視聴履歴情報を受け取る。なお、ここでは、図４に示すように、携帯放送受信装置３０が固定型の放送受信装置５０に視聴履歴情報を転送する場合を想定する。固定型の放送受信装置５０には、リモコン送信機５２（図３参照）のための赤外線受信部が設けられており、この赤外線受信部を利用して視聴履歴情報を受け取ることとしている。別の放送受信装置がリモコン送信機用の赤外線受信部を備えない携帯型或いは車載型の放送受信装置である場合は、リモコン送信機用以外の赤外線通信規格に従って通信を行うことになる。勿論、このような赤外線通信に限るものではなく、無線ＬＡＮ或いは有線通信によるものでもよい。また、車載型の放送受信装置としては取り外し可能なタイプを想定している。
【００２４】
メモリ（例えば、ＲＡＭ、ＲＯＭ、ＥＥＰＲＯＭ、フラッシュメモリ等）１４には、ＥＰＧ画面を表示するためのガイド情報、番組の視聴履歴情報などが格納される。視聴履歴情報は、視聴日時情報、視聴回数、チャンネル番号、番組名、ジャンル情報などから成り、これら情報のなかの番組名やジャンル情報等は、ユーザ視聴中の番組（トランスポートストリーム）のＳＩから抽出される。また、メモリ１４には、各社リモコン送信機の送信規格（コード情報）が格納されており、更に、どの送信規格が選択されたかを示す情報も格納される。
【００２５】
ＣＰＵ１３は、携帯放送受信装置３０における全体制御を行うものであるが、特にこの発明にかかる処理として、以下に述べるごとく、視聴履歴情報の送受信処理を実行する。なお、固定放送受信装置５０はＣＰＵ５１（図示はされていない）を備えるものとし、固定放送受信装置５０側での処理においては、ＣＰＵ５１と記して説明していく。
【００２６】
携帯放送受信装置３０における操作パッド１０のキーが操作されると、操作されたキーに対応する操作情報がＣＰＵ１３に入力される。例えば、操作パッド１０のｍｅｎｕキーが操作されると、ＣＰＵ１３はＯＳＤ機能を用いてメニュー画面を表示する。図５はメインメニュー画面例を示している。
【００２７】
ユーザは上下矢印キーを用いてカーソルを「ユーザ設定」の項目のところまで移動させ、決定キーを押す。ＣＰＵ１３は、前記「ユーザ設定」の項目が選択された状態で決定キーの押下を検出すると、「チャンネル設定」「地域設定」「情報転送機器登録」の３項目を表示する。ユーザが再び上下矢印キーで「情報転送機器登録」を選択し、決定キーを押下すると、ＣＰＵ１３は、図６に示す情報転送機器登録画面を表示する。ユーザは上下左右矢印キーでカーソルを情報転送させたい放送受信装置５０のメーカー表記部まで移動させ、決定キーを押す。ここでは「Ａ社」が選択されて決定キーが押下されたものとする。
【００２８】
ＣＰＵ１３は、前述のごとく、「Ａ社」が選択されて決定キーが押下された場合には、図７に示すように、Ａ社における各リモコン送信機の型番等を示した選択画面を表示する。固定放送受信装置５０におけるリモコン送信機５２が、例えば「receiver＿１」であるならば、ユーザは上下左右矢印キーを用いてカーソルを「receiver＿１」の項目に移動させ、決定キーを押下する。ＣＰＵ１３は、赤外線信号送信規格として、「receiver＿１」が選択されたことを、メモリ１４に格納する。
【００２９】
操作パッド１０の転送キーが操作されると、ＣＰＵ１３は、メモリ１４から視聴履歴情報を読み出すと共に、前述した「receiver＿１」の規格（コード）に従って、視聴履歴情報を送信するための処理を行う（図４参照）。
【００３０】
固定放送受信装置５０は、常時、赤外線信号を受信できる状態になっており、携帯放送受信装置３０から送信されてくる視聴履歴情報を受信すると、メモリに視聴履歴情報を保存（蓄積）する。また、ＣＰＵ５１は、保存が完了すると、ＯＳＤ機能を用い、例えば、図８に示すように、「視聴履歴情報を受け取りました」といったメッセージを画面表示する。
【００３１】
このとき、固定放送受信装置５０の側では、自身で蓄積した視聴履歴情報と携帯放送受信装置３０から転送された視聴履歴情報とが併存した状態となる。固定放送受信装置５０のＣＰＵ５１は、両方の視聴履歴情報を融合するための処理、例えば、自装置の視聴履歴と重複する視聴履歴について視聴回数を加算する等の処理を行う。この場合、多く視聴している番組を１０個リストアップし、お気に入り番組ベストテンとしてリスト画面を生成する場合には、携帯放送受信装置３０での視聴履歴が反映されたものとなる。また、ユーザが昼時間帯には携帯放送受信装置３０で放送を視聴し、夕刻から深夜にかけて固定放送受信装置５０で放送を受信しているとする。この場合、ユーザが昼間に固定放送受信装置５０をＯＮし、現在時間帯に最適なリスト提示を求めたとき、携帯放送受信装置３０の視聴履歴情報を提示できることになる。このように、両視聴履歴情報の融合によってユーザの番組の好みを正確に把握すること等が可能となる。また、ユーザの番組の好みをより正確に把握できることで、ユーザの好みにより合致する番組だけを集めた番組表やジャンル検索、番組予約などが可能になる。
【００３２】
上記の例では、固定放送受信装置５０は携帯放送受信装置３０から転送された視聴履歴情報をメモリに保存（蓄積）し自身のものとすることとしたが、これに限るものではない。例えば、固定放送受信装置５０と携帯放送受信装置３０とで双方向の通信が行えるように構成する。また、操作パッド１０又はリモコン送信機５２には例えば、「共有」と表記されたキーを設けておく。リモコン送信機５２の共有キーが操作された場合、前記双方向通信機能を用い、固定放送受信装置５０から携帯放送受信装置３０に対して視聴履歴情報の提示を求める。そして、固定放送受信装置５０は携帯放送受信装置３０から送信されてきた視聴履歴情報を画面表示する。また、この画面において、「登録」「視聴」「視聴予約」といったボタンを設けておく。ユーザは前記画面を見て、所望の番組の項目を選択し、「登録」「視聴」「視聴予約」のいずれかのボタンに対する操作を行う。ＣＰＵ５１は、選択された番組について「登録」のボタンが操作された場合には、その番組についてメモリ１４に履歴登録を行い、「視聴」のボタンが操作された場合には、チューナ等に対する必要な処理を実行し、「視聴予約」のボタンが操作された場合には、視聴予約に必要な処理を実行する。また、このような処理で実際に視聴が行われたときには、視聴履歴の登録を行うことになる。上述した共有は、別の放送受信装置において保存されている視聴履歴を、そのコピー処理（保存）を行わずに、必要に応じて利用する形態となる。
【００３３】
上述した転送或いは共有の処理は、転送キー或いは共有キーといった一つのキーの操作で実行されるようにしたので、操作性に優れたものとなる。勿論、このような一つのキー操作による処理に限定するものではない。例えば、メニュー画面に転送ボタン或いは共有ボタンを表示することとし、これらボタンが操作された場合に上記処理を行うようにしてもよい。また、上記転送の機能を用いれば、例えば、新たに購入した放送受信装置に対し、旧の放送受信装置から視聴履歴を転送することが可能となり、新しい放送受信装置において一から視聴履歴を蓄積していく必要が無くなる。買い増しや修理においても同様のことが言える。
【００３４】
データ放送における番組の視聴履歴を含めることとしてもよい。データ放送における視聴履歴情報としては、そのデータ放送のチャンネル番号、ＵＲＩ（Uniform Resource Identifier ）、タイトル、放送局名、視聴時刻情報などを含めるのがよい。また、視聴した全ての番組を視聴履歴とするのではなく、所定時間以上視聴した番組のみを視聴履歴に登録するようにしてもよい。
【図面の簡単な説明】
【００３５】
【図１】この発明の実施形態の携帯放送受信装置を示したブロック図である。
【図２】図１の携帯放送受信装置の操作パッドを示した説明図である。
【図３】固定放送受信装置におけるリモコン送信機を示した説明図である。
【図４】図１の携帯放送受信装置から固定放送受信装置に視聴履歴が転送される様子を示した説明図である。
【図５】携帯放送受信装置のメニュー画面を示した説明図である。
【図６】携帯放送受信装置の情報転送機器登録画面を示した説明図である。
【図７】携帯放送受信装置の情報転送機器登録画面でＡ社が選択された場合の遷移画面を示した説明図である。
【図８】固定放送受信装置が視聴履歴情報を受け取った場合に表示するメッセージ画面例を示した説明図である。
【符号の説明】
【００３６】
１    アンテナ
２    チューナ
１３  ＣＰＵ
１４  メモリ
２１  赤外線通信部
３０  携帯放送受信装置
５０  固定放送受信装置
【図１】
2005295357.tif 000003
【図２】
2005295357.tif 000004
【図３】
2005295357.tif 000005
【図４】
2005295357.tif 000006
【図５】
2005295357.tif 000007
【図６】
2005295357.tif 000008
【図７】
2005295357.tif 000009
【図８】
2005295357.tif 000010